(57)【要約】【課題】無線通信機構を備える赤外線センサモジュールにおいて、赤外線の検知がアンテナによって阻害されないようにする。【解決手段】赤外線センサ１０と、アンテナ２０と、多分割レンズ１２０とを備える。アンテナ２０は、赤外線センサ１０の出力を外部機器に伝送する。多分割レンズ１２０は、複数のレンズ部Ｒａ，Ｒｂ，Ｒｃを有し、赤外線センサ１０に赤外線を集光する。赤外線センサ１０は、少なくとも１つの焦電素子を含む。アンテナ２０は、焦電素子の外周縁と複数のレンズ部Ｒａ，Ｒｂ，Ｒｃの各々の外周縁とを放射状に結ぶ境界面に囲まれた検知ビーム同士の間に形成される非検知領域Ｎに、配置されている。【選択図】図５
2018200224.tif 000002
【特許請求の範囲】
【請求項１】
赤外線センサと、
前記赤外線センサの出力を外部機器に伝送するアンテナと、
複数のレンズ部を有し、前記赤外線センサに赤外線を集光する多分割レンズとを備え、
前記赤外線センサは、少なくとも１つの焦電素子を含み、
前記アンテナは、前記焦電素子の外周縁と前記複数のレンズ部の各々の外周縁とを放射状に結ぶ境界面に囲まれた検知ビーム同士の間に形成される非検知領域に、配置されている、赤外線センサモジュール。
【請求項２】
前記アンテナは、少なくとも３つの前記検知ビームの各々に隣接するように配置されている、請求項１に記載の赤外線センサモジュール。
【請求項３】
前記アンテナは、前記多分割レンズの内側に配置されている、請求項１または請求項２に記載の赤外線センサモジュール。
【請求項４】
前記アンテナは、前記多分割レンズの外側に配置されている、請求項１または請求項２に記載の赤外線センサモジュール。
【請求項５】
前記アンテナは、互いに別体で形成された第１アンテナおよび第２アンテナを含む、請求項１から請求項４のいずれか１項に記載の赤外線センサモジュール。
【請求項６】
前記第１アンテナおよび前記第２アンテナの各々の長さが互いに異なる、請求項５に記載の赤外線センサモジュール。
【発明の詳細な説明】
【技術分野】
【０００１】
本発明は、赤外線センサモジュールに関する。
【背景技術】
【０００２】
人体検知センサの構成を開示した先行文献として、特開平９−２３００６０号公報(特許文献１)がある。特許文献１に記載された人体検知センサは、人体から発せられた赤外線を集光レンズによって赤外線検知素子の受光面に集光して検知することにより、人体を検知する。
【０００３】
人体検知センサなどの赤外線センサにおいては、赤外線センサの出力をサーバまたはゲートウェイなどに送信するために、ブルートゥース(登録商標)などの無線通信機構を備える場合がある。
【先行技術文献】
【特許文献】
【０００４】
【特許文献１】特開平９−２３００６０号公報
【発明の概要】
【発明が解決しようとする課題】
【０００５】
無線通信機構を備える赤外線センサモジュールにおいて、アンテナが赤外線検知素子の検知エリア内に配置されている場合、赤外線の検知がアンテナによって阻害される。
【０００６】
本発明は上記の問題点に鑑みてなされたものであって、赤外線の検知がアンテナによって阻害されることがない赤外線モジュールを提供することを目的とする。
【課題を解決するための手段】
【０００７】
本発明に基づく赤外線センサモジュールは、赤外線センサと、アンテナと、多分割レンズとを備える。アンテナは、赤外線センサの出力を外部機器に伝送する。多分割レンズは、複数のレンズ部を有し、赤外線センサに赤外線を集光する。赤外線センサは、少なくとも１つの焦電素子を含む。アンテナは、焦電素子の外周縁と複数のレンズ部の各々の外周縁とを放射状に結ぶ境界面に囲まれた検知ビーム同士の間に形成される非検知領域に、配置されている。
【０００８】
本発明の一形態においては、アンテナは、少なくとも３つの検知ビームの各々に隣接するように配置されている。
【０００９】
本発明の一形態においては、アンテナは、多分割レンズの内側に配置されている。
本発明の一形態においては、アンテナは、多分割レンズの外側に配置されている。
【００１０】
本発明の一形態においては、アンテナは、互いに別体で形成された第１アンテナおよび第２アンテナを含む。
【００１１】
本発明の一形態においては、第１アンテナおよび第２アンテナの各々の長さが互いに異なる。
【発明の効果】
【００１２】
本発明によれば、無線通信機構を備える赤外線センサモジュールにおいて、赤外線の検知がアンテナによって阻害されないようにすることができる。
【図面の簡単な説明】
【００１３】
【図１】本発明の実施形態１に係る赤外線センサモジュールの構成を示すブロック図である。
【図２】本発明の実施形態１に係る赤外線センサモジュールの外観を示す下面図である。
【図３】図２の赤外線センサモジュールをＩＩＩ−ＩＩＩ線矢印方向から見た断面図である。
【図４】本発明の実施形態１に係る赤外線センサモジュールが備える赤外線センサの検知ビームを説明するための斜視図である。
【図５】本発明の実施形態１に係る赤外線センサモジュールのアンテナの配置を示す図であり、(Ａ)は赤外線センサモジュールを、多分割レンズを透視して見た下面図、(Ｂ)は(Ａ)の赤外線センサモジュールをＢ−Ｂ線矢印方向から見た断面図、(Ｃ)は(Ａ)の赤外線センサモジュールを矢印Ｃ方向から多分割レンズを透視して見た側面図である。
【図６】本発明の実施形態２に係る赤外線センサモジュールのアンテナの配置を示す図であり、(Ａ)は赤外線センサモジュールを、多分割レンズを透視して見た下面図、(Ｂ)は(Ａ)の赤外線センサモジュールをＢ−Ｂ線矢印方向から見た断面図、(Ｃ)は(Ａ)の赤外線センサモジュールを矢印Ｃ方向から多分割レンズを透視して見た側面図である。
【図７】本発明の実施形態３に係る赤外線センサモジュールのアンテナの配置を示す図であり、(Ａ)は赤外線センサモジュールの下面図、(Ｂ)は(Ａ)の赤外線センサモジュールをＢ−Ｂ線矢印方向から見た断面図、(Ｃ)は(Ａ)の赤外線センサモジュールを矢印Ｃ方向から多分割レンズを透視して見た側面図である。
【図８】本発明の実施形態４に係る赤外線センサモジュールのアンテナの配置を示す図であり、(Ａ)は赤外線センサモジュールの下面図、(Ｂ)は(Ａ)の赤外線センサモジュールをＢ−Ｂ線矢印方向から見た断面図、(Ｃ)は(Ａ)の赤外線センサモジュールを矢印Ｃ方向から多分割レンズを透視して見た側面図である。
【発明を実施するための形態】
【００１４】
以下、本発明の各実施形態に係る赤外線センサモジュールについて図を参照して説明する。以下の実施形態の説明においては、図中の同一または相当部分には同一符号を付して、その説明は繰り返さない。
【００１５】
(実施形態１)
図１は、本発明の実施形態１に係る赤外線センサモジュールの構成を示すブロック図である。図２は、本発明の実施形態１に係る赤外線センサモジュールの外観を示す下面図である。図３は、図２の赤外線センサモジュールをＩＩＩ−ＩＩＩ線矢印方向から見た断面図である。図４は、本発明の実施形態１に係る赤外線センサモジュールが備える赤外線センサの検知ビームを説明するための斜視図である。図５は、本発明の実施形態１に係る赤外線センサモジュールのアンテナの配置を示す図であり、(Ａ)は赤外線センサモジュールを、多分割レンズを透視して見た下面図、(Ｂ)は(Ａ)の赤外線センサモジュールをＢ−Ｂ線矢印方向から見た断面図、(Ｃ)は(Ａ)の赤外線センサモジュールを矢印Ｃ方向から多分割レンズを透視して見た側面図である。
【００１６】
図３および図４においては、図を見やすくするため、アンテナを図示していない。図３においては、説明の便宜上、赤外線センサの下面全体に焦電素子が配置されているように記載している。図４においては、説明の便宜上、互いに対応する２組の焦電素子およびレンズ部のみ図示しており、レンズ部の形状も変更して図示している。
【００１７】
図１〜図５に示すように、本発明の実施形態１に係る赤外線センサモジュール１は、赤外線センサ１０と、アンテナ２０と、多分割レンズ１２０とを備える。図１に示すように、赤外線センサ１０は、検知回路３０と接続されている。検知回路３０は、赤外線センサ１０に入射した赤外線Ｉの強度の変動が閾値を超えたかどうかを検知する。検知回路３０は、情報処理回路と接続されている。情報処理回路は、ＣＰＵ(Central Processing Unit)４０、ＲＡＭ(Random access memory)４１およびＲＯＭ(Read only memory)４２を含む。情報処理回路は、検知回路３０の検知回数のカウント、および、検知回路３０の出力からのノイズの除去などを行なう。
【００１８】
情報処理回路は、通信回路５０と接続されている。通信回路５０は、アンテナ２０と接続されている。情報処理回路にて処理された出力信号が、通信回路５０からアンテナ２０を通して外部機器であるアクセスポイントへと無線送信される。すなわち、アンテナ２０は、赤外線センサ１０の出力を外部機器に伝送する。
【００１９】
図３に示すように、赤外線センサ１０は、プリント基板１３０の下面に実装されている。検知回路３０と、ＣＰＵ４０、ＲＡＭ４１およびＲＯＭ４２を含む情報処理回路と、通信回路５０とは、プリント基板１３０の上面に実装されている。多分割レンズ１２０は、プリント基板１３０の下面に取り付けられている。赤外線センサ１０は、プリント基板１３０の下面と多分割レンズ１２０の内表面との間の空間に配置されている。
【００２０】
プリント基板１３０は、円筒状のケース１４０の内部に取り付けられている。ケース１４０は、天井部９に固定されている。天井部９は、天井パネルまたは照明器具の筐体であってもよい。
【００２１】
図４に示すように、赤外線センサ１０は、２つの焦電素子１１１，１１２を含む。本実施形態においては、赤外線センサ１０は、２つの焦電素子１１１，１１２を含んでいるが、赤外線センサ１０が含む焦電素子の数は、２つに限られず、１つでもよいし、３つ以上でもよい。焦電素子１１１，１１２の各々は、セラミックス焦電素子である。焦電素子１１１，１１２の各々の電気特性は、互いに逆極性になっている。焦電素子１１１の出力と焦電素子１１２の出力とが互いに合成されて、赤外線センサ１０から出力される。
【００２２】
図２および図３に示すように、多分割レンズ１２０は、複数のレンズ部Ｒａ，Ｒｂ，Ｒｃを有し、赤外線センサ１０に赤外線Ｉを集光する。多分割レンズ１２０は、半球状の外表面を有している。多分割レンズ１２０は、１６分割の広角レンズであり、中央部に配置された４つのレンズ部Ｒａと、４つのレンズ部Ｒａの周囲を取り囲むように配置された４つのレンズ部Ｒｂと、４つのレンズ部Ｒｂの周囲を取り囲むように配置された８つのレンズ部Ｒｃとを含む。レンズ部Ｒａ，Ｒｂ，Ｒｃの各々は、多分割レンズ１２０の内側に凸状に突出した内表面を有している。
【００２３】
図２に示す、４つのレンズ部Ｒａの各々の外周縁Ｂａ、４つのレンズ部Ｒｂの各々の外周縁Ｂｂ、および、８つのレンズ部Ｒｃの各々の外周縁Ｂｃによって、多分割レンズ１２０が１６個のレンズ部Ｒａ，Ｒｂ，Ｒｃに分割されている。
【００２４】
図３および図４に示すように、複数のレンズ部Ｒａ，Ｒｂ，Ｒｃの各々は、焦電素子１１１，１１２に対応して設けられている。図４に示すように、互いに対応する焦電素子１１１，１１２の外周縁と複数のレンズ部Ｒａの各々の外周縁Ｂａとを放射状に結ぶ境界面ＢＳａに囲まれた領域が、赤外線の検知領域である検知ビームＢＭａとなる。互いに隣接する検知ビームＢＭａ同士の間には、赤外線の非検知領域Ｎが形成される。
【００２５】
同様に、図３に示すように、互いに対応する焦電素子１１１，１１２の外周縁と複数のレンズ部Ｒｂの各々の外周縁Ｂｂとを放射状に結ぶ境界面ＢＳｂに囲まれた領域が、赤外線の検知領域である検知ビームＢＭｂとなる。互いに隣接する検知ビームＢＭｂ同士の間には、赤外線の非検知領域Ｎが形成される。
【００２６】
互いに対応する焦電素子１１１，１１２の外周縁と複数のレンズ部Ｒｃの各々の外周縁Ｂｃとを放射状に結ぶ境界面ＢＳｃに囲まれた領域が、赤外線の検知領域である検知ビームＢＭｃとなる。互いに隣接する検知ビームＢＭｃ同士の間には、赤外線の非検知領域Ｎが形成される。
【００２７】
互いに隣接する検知ビームＢＭａと検知ビームＢＭｂとの間には、赤外線の非検知領域Ｎが形成される。互いに隣接する検知ビームＢＭｂと検知ビームＢＭｃとの間には、赤外線の非検知領域Ｎが形成される。
【００２８】
図５に示すように、アンテナ２０は、多分割レンズ１２０の内側に配置されている。アンテナ２０は、金属ワイヤで形成されたモノポールアンテナである。金属ワイヤの中央部は、多分割レンズ１２０の内側に固定された基板１５０上に貼り付けられている。基板１５０は、赤外線に対して透明なプラスチックで形成されている。金属ワイヤの一端は、プリント基板１３０に設けられているスルーホールに挿入されており、通信回路５０との接続点すなわち給電点となっている。
【００２９】
アンテナ２０は、非検知領域Ｎに配置されている。すなわち、アンテナ２０は、検知ビームＢＭａ、検知ビームＢＭｂおよび検知ビームＢＭｃを掻い潜るように曲折した形状を有している。本実施形態においては、アンテナ２０は、検知ビームＢＭｃ同士の間に位置する部分、検知ビームＢＭｃと検知ビームＢＭｂとの間に位置する部分、検知ビームＢＭｂ同士の間に位置する部分、検知ビームＢＭｂと検知ビームＢＭａとの間に位置する部分、および、検知ビームＢＭａ同士の間に位置する部分を含んでいる。よって、アンテナ２０は、複数の検知ビームＢＭａ，ＢＭｂ，ＢＭｃのうちの少なくとも３つの検知ビームの各々に隣接するように配置されている。
【００３０】
本発明の実施形態１に係る赤外線センサモジュール１においては、アンテナ２０が赤外線センサ１０の非検知領域Ｎに配置されていることにより、赤外線Ｉの検知がアンテナ２０によって阻害されないようにすることができる。
【００３１】
また、赤外線Ｉの検知を妨げないようにするためにアンテナを赤外線に対して透明な部材で形成する必要がないため、アンテナ２０を構成する材料の選択の自由度を確保することができる。アンテナ２０を電気抵抗の低い金属で形成することができるため、アンテナ２０の伝送損失を低く維持することができる。
【００３２】
アンテナ２０が多分割レンズ１２０の内側に配置されていることにより、多分割レンズ１２０によって、アンテナ２０を外部から保護することができ、アンテナ２０の耐久性を向上できる。また、アンテナ２０を多分割レンズ１２０の外側に配置した場合に比較して、赤外線センサモジュール１を小型化できる。
【００３３】
アンテナ２０が少なくとも３つの検知ビームの各々に隣接するように配置されていることにより、限られたスペースの中でアンテナ２０の長さを確保して、アンテナ２０の利得を向上することができる。
【００３４】
本実施形態においては、１つの焦電素子に対して複数のレンズ部が対応する場合について説明したが、焦電素子とレンズ部とが１対１で対応していてもよい。
【００３５】
(実施形態２)
以下、本発明の実施形態２に係る赤外線センサモジュールについて図を参照して説明する。なお、実施形態２に係る赤外線センサモジュールは、アンテナの配置が主に、実施形態１に係る赤外線センサモジュール１と異なるため、実施形態１に係る赤外線センサモジュール１と同様である構成については説明を繰り返さない。
【００３６】
図６は、本発明の実施形態２に係る赤外線センサモジュールのアンテナの配置を示す図であり、(Ａ)は赤外線センサモジュールを、多分割レンズを透視して見た下面図、(Ｂ)は(Ａ)の赤外線センサモジュールをＢ−Ｂ線矢印方向から見た断面図、(Ｃ)は(Ａ)の赤外線センサモジュールを矢印Ｃ方向から多分割レンズを透視して見た側面図である。
【００３７】
図６に示すように、アンテナ２１は、多分割レンズ１２０の内側に配置されている。アンテナ２１は、金属ワイヤで形成されたモノポールアンテナである。金属ワイヤの中央部は、多分割レンズ１２０の内表面上の非検知領域Ｎに貼り付けられている。金属ワイヤの一端は、プリント基板１３０に設けられているスルーホールに挿入されており、通信回路５０との接続点すなわち給電点となっている。
【００３８】
アンテナ２１は、非検知領域Ｎに配置されている。すなわち、アンテナ２１は、検知ビームＢＭａ、検知ビームＢＭｂおよび検知ビームＢＭｃを掻い潜るように曲折した形状を有している。本実施形態においては、アンテナ２１は、検知ビームＢＭｃ同士の間に位置する部分、検知ビームＢＭｃと検知ビームＢＭｂとの間に位置する部分、検知ビームＢＭｂ同士の間に位置する部分、検知ビームＢＭｂと検知ビームＢＭａとの間に位置する部分、および、検知ビームＢＭａ同士の間に位置する部分を含んでいる。よって、アンテナ２１は、複数の検知ビームＢＭａ，ＢＭｂ，ＢＭｃのうちの少なくとも３つの検知ビームの各々に隣接するように配置されている。
【００３９】
本発明の実施形態２に係る赤外線センサモジュールにおいても、アンテナ２１が赤外線センサ１０の非検知領域Ｎに配置されていることにより、赤外線Ｉの検知がアンテナ２１によって阻害されないようにすることができる。
【００４０】
また、多分割レンズ１２０の内側に基板１５０を設ける必要がないため、赤外線センサ１０の検知感度をより高く維持できる。基板１５０のスペースが不要になるため、限られたスペースの中でアンテナ２１の長さを確保して、アンテナ２１の利得を向上することができる。
【００４１】
(実施形態３)
以下、本発明の実施形態３に係る赤外線センサモジュールについて図を参照して説明する。なお、実施形態３に係る赤外線センサモジュールは、アンテナの配置が主に、実施形態１に係る赤外線センサモジュール１と異なるため、実施形態１に係る赤外線センサモジュール１と同様である構成については説明を繰り返さない。
【００４２】
図７は、本発明の実施形態３に係る赤外線センサモジュールのアンテナの配置を示す図であり、(Ａ)は赤外線センサモジュールの下面図、(Ｂ)は(Ａ)の赤外線センサモジュールをＢ−Ｂ線矢印方向から見た断面図、(Ｃ)は(Ａ)の赤外線センサモジュールを矢印Ｃ方向から多分割レンズを透視して見た側面図である。
【００４３】
図７に示すように、本発明の実施形態３に係る赤外線センサモジュールは、互いに別体で形成された第１アンテナお２２ａおよび第２アンテナ２２ｂを含む。第１アンテナ２２ａおよび第２アンテナ２２ｂの各々は、多分割レンズ１２０の外側に配置されている。第１アンテナ２２ａおよび第２アンテナ２２ｂの各々は、赤外線に対して透明な筒状フィルムの内周面に金属が蒸着されて形成されたモノポールアンテナである。筒状フィルムの一端は、プリント基板１３０の側面に貼り付けられている。筒状フィルムの一端以外の部分は、多分割レンズ１２０の外表面上の非検知領域Ｎに貼り付けられている。筒状フィルムの端部の内周面に形成されている金属が、プリント基板１３０上に設けられている通信回路用入力パターンに圧着されており、通信回路５０との接続点すなわち給電点となっている。
【００４４】
第１アンテナ２２ａおよび第２アンテナ２２ｂの各々は、非検知領域Ｎに配置されている。すなわち、第１アンテナ２２ａおよび第２アンテナ２２ｂの各々は、検知ビームＢＭａ、検知ビームＢＭｂおよび検知ビームＢＭｃを掻い潜るように曲折した形状を有している。本実施形態においては、第１アンテナ２２ａおよび第２アンテナ２２ｂの各々は、検知ビームＢＭｃ同士の間に位置する部分、および、検知ビームＢＭｃと検知ビームＢＭｂとの間に位置する部分を含んでいる。よって、第１アンテナ２２ａおよび第２アンテナ２２ｂの各々は、複数の検知ビームＢＭｂ，ＢＭｃのうちの少なくとも３つの検知ビームの各々に隣接するように配置されている。
【００４５】
第１アンテナ２２ａおよび第２アンテナ２２ｂの各々は、通信回路５０と接続されている。通信回路５０は、ダイバーシティ動作によって、無線伝送するアンテナを第１アンテナ２２ａと第２アンテナ２２ｂとの間で切り替えることができ、これにより、赤外線センサモジュールの無線通信感度を高めることができる。
【００４６】
本実施形態においては、第１アンテナ２２ａおよび第２アンテナ２２ｂの各々の長さが互いに同一であるが、これに限られず、第１アンテナ２２ａおよび第２アンテナ２２ｂの各々の長さが互いに異なっていてもよい。第１アンテナ２２ａおよび第２アンテナ２２ｂの各々の長さが互いに異なっている場合には、第１アンテナ２２ａおよび第２アンテナ２２ｂの各々から送信される信号の周波数帯域を互いに異ならせることができる。その結果、外部機器が使用する通信周波数帯域に応じて、送信に用いるアンテナを通信回路５０が第１アンテナ２２ａと第２アンテナ２２ｂとの間で切り替えることができる。
【００４７】
本発明の実施形態３に係る赤外線センサモジュールにおいても、第１アンテナ２２ａおよび第２アンテナ２２ｂの各々が赤外線センサ１０の非検知領域Ｎに配置されていることにより、赤外線Ｉの検知が第１アンテナ２２ａおよび第２アンテナ２２ｂの各々によって阻害されないようにすることができる。
【００４８】
また、第１アンテナ２２ａおよび第２アンテナ２２ｂの各々が、多分割レンズ１２０の外側に配置されていることにより、赤外線センサモジュールの無線通信感度を高めることができる。
【００４９】
(実施形態４)
以下、本発明の実施形態４に係る赤外線センサモジュールについて図を参照して説明する。なお、実施形態４に係る赤外線センサモジュールは、アンテナの配置が主に、実施形態１に係る赤外線センサモジュール１と異なるため、実施形態１に係る赤外線センサモジュール１と同様である構成については説明を繰り返さない。
【００５０】
図８は、本発明の実施形態４に係る赤外線センサモジュールのアンテナの配置を示す図であり、(Ａ)は赤外線センサモジュールの下面図、(Ｂ)は(Ａ)の赤外線センサモジュールをＢ−Ｂ線矢印方向から見た断面図、(Ｃ)は(Ａ)の赤外線センサモジュールを矢印Ｃ方向から多分割レンズを透視して見た側面図である。
【００５１】
図８に示すように、本発明の実施形態４に係る赤外線センサモジュールは、アンテナ２３は、多分割レンズ１２０に間隔をあけて多分割レンズ１２０の外側に配置されている。アンテナ２３は、金属ワイヤで形成されたモノポールアンテナである。金属ワイヤの一端は、ケース１４０に設けられている孔に差し込まれて、プリント基板１３０上に設けられている通信回路用入力パターンに配線を通じて接続されており、通信回路５０との接続点すなわち給電点となっている。
【００５２】
アンテナ２３は、非検知領域Ｎに配置されている。すなわち、アンテナ２３は、検知ビームＢＭａ、検知ビームＢＭｂおよび検知ビームＢＭｃを掻い潜るように曲折した形状を有している。本実施形態においては、アンテナ２３は、検知ビームＢＭｃ同士の間に位置する部分ａおよび、検知ビームＢＭｃと検知ビームＢＭｂとの間に位置する部分ｂを含んでいる。よって、アンテナ２３は、複数の検知ビームＢＭａ，ＢＭｂ，ＢＭｃのうちの３つの検知ビームの各々に隣接するように配置されている。
【００５３】
本発明の実施形態４に係る赤外線センサモジュールにおいても、アンテナ２３が赤外線センサ１０の非検知領域Ｎに配置されていることにより、赤外線Ｉの検知がアンテナ２３によって阻害されないようにすることができる。
【００５４】
また、アンテナ２３が、多分割レンズ１２０の外側に配置されていることにより、赤外線センサモジュールの無線通信感度を高めることができる。アンテナ２３を配置できるスペースが多分割レンズ１２０の大きさによって制限されないため、アンテナ２３の長さを確保して、アンテナ２３の利得を向上することができる。
【００５５】
上述した実施形態の説明において、組み合わせ可能な構成を相互に組み合わせてもよい。
【００５６】
今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５７】
１  赤外線センサモジュール、９  天井部、１０  赤外線センサ、２０，２１，２３  アンテナ、２２ａ  第１アンテナ、２２ｂ  第２アンテナ、３０  検知回路、４１  ＲＡＭ、４２  ＲＯＭ、５０  通信回路、１１１，１１２  焦電素子、１２０  多分割レンズ、１３０  プリント基板、１４０  ケース、１５０  基板、ＢＭａ，ＢＭｂ，ＢＭｃ  検知ビーム、ＢＳａ，ＢＳｂ，ＢＳｃ  境界面、Ｂａ，Ｂｂ，Ｂｃ  外周縁、Ｉ  赤外線、Ｎ  非検知領域、Ｒａ，Ｒｂ，Ｒｃ  レンズ部。
【図１】
2018200224.tif 000003
【図２】
2018200224.tif 000004
【図３】
2018200224.tif 000005
【図４】
2018200224.tif 000006
【図５】
2018200224.tif 000007
【図６】
2018200224.tif 000008
【図７】
2018200224.tif 000009
【図８】
2018200224.tif 000010